(57)【特許請求の範囲】
【請求項１】
側縁に引っ掛かりを有する資材を列設するにあたり隣り合う資材同士を連結し、且つ、該資材を棒体に固定するためのクリップであって、前記棒体に弾性的に嵌め込まれる半環状の取付け部を左右一対に備え、該取付け部を各一端から連続する水平部により連結すると共に、該取付け部の各他端には資材の前記引っ掛かりと係合してその弾性復元力で前記隣り合う資材同士を密着させる一対の爪部を、互いに対向するようにやや鋭角に内側に折り曲げて設けてなることを特徴とする仮設用クリップ。
【請求項２】
前記取付け部にはこれよりも幅広のカバーを設けた請求項１記載の仮設用クリップ。
【請求項３】
水平部の少なくとも一箇所に掛止部を凹設した請求項１または２記載の仮設用クリップ。
【請求項４】
１本の鋼材より成型される請求項１、２または３記載の仮設用クリップ。
【発明の詳細な説明】
【０００１】
【発明の属する技術分野】
この発明は、例えば工事現場を一定期間遮蔽するために仮設される仮囲いについて、その遮蔽パネルを隙間なく連結し、且つ、該遮蔽パネルを水平つなぎ等の骨組みに強固に固定できる仮設用のクリップに関するものである。
【０００２】
【従来の技術】
従来、仮囲いの一般的構成を説明すると、先ず工事現場の周囲に単パイプあるいは足場などの支柱を有する枠体を立て、適宜前方の倒れ止めとして該支柱を後方より斜めに支える控えを取り付け、また支柱の左右の倒れ止めとして支柱間に水平のつなぎを取り付けるなどして骨組みを組み、作業員や車両の出入り口を確保した後、前記骨組みの前面に遮蔽パネルを設けることにより構築される。
【０００３】
ところで、遮蔽パネルは風圧をまともに受けるため、頑丈に取り付ける必要がある。このため従来は、図３に示したようなフック状の専用金具５０を用いていた。即ち、この専用金具５０は水平つなぎ６０に掛止可能なフック部５１を有し、一端のボルト部５２を遮蔽パネル７０に通しナット８０により固定されるものである。
【０００４】
【発明が解決しようとする課題】
しかしながら、工事が大規模であると遮蔽面積の大きさに応じて必要とする遮蔽パネルの枚数も相当なものとなるが、遮蔽パネル一枚一枚に前記専用金具５０を取り付ける作業は非常に面倒であった。特に遮蔽パネルが３メートルを越す大型の場合、前記専用金具５０は上下だけでなく中間にも必要となり、遮蔽パネルに対する専用金具５０の取付工数が増加し、引いては仮囲いの設置に時間がかかるという問題があった。
【０００５】
また前記専用金具５０を使用する場合は、フック部５１の位置と水平つなぎ６０の高さを一致させなければならず、その位置合わせも手間であった。つまり、先に遮蔽パネルに専用金具５０を固定した場合は、フック部５１の位置に合わせて水平つなぎを架設しなければならないし、先に水平つなぎに専用金具５０を掛止した場合は、ボルト部５２の位置に合わせて遮蔽パネルに該ボルト部挿通用の取付孔を形成しなければならないのである。特にこの種遮蔽パネルは継続して使用されることを考えれば、後者の場合、先に形成した取付孔が使用できない場合もあり、施工性の悪化は顕著である。
【０００６】
本発明は上述した課題を解決するもので、その目的とするところは、一切締結作業を必要とすることなく、且つ、簡単に、しかも頑丈に遮蔽パネル等を取り付けることのできる仮設用クリップを提供することである。
【０００７】
【課題を解決するための手段】
上述した目的を達成するために本発明では、側縁に引っ掛かりを有する資材を列設するにあたり隣り合う資材同士を連結し、且つ、該資材を棒体に固定するためのクリップであることを前提とし、前記棒体に弾性的に嵌め込まれる取付け部を左右一対に備え、該取付け部を各一端から連続する水平部により連結すると共に、該取付け部の各他端には前記資材の引っ掛かりと係合可能な一対の爪部を対向して設けるという手段を用いた。この手段によれば、ボルトナットなどの緊締金具を一切用いることなく、遮蔽パネル等の資材同士を隙間なく連結し、且つ、該資材を水平つなぎ等の棒体に強固に固定することができる。なお、資材とは例えばパネルをいい、この場合の引っ掛かりとは側縁を内側に折り曲げてなるリブをいう。また、棒体とは中空パイプ、中実パイプを問わず、また角であるか丸であるかも問わず、さらに支柱のように垂直部材だけでなく、水平つなぎのように水平部材をも含み、さらには仮設用控えのような斜め材をも含む概念である。
【０００８】
請求項２では、取付け部にこれよりも幅広のカバーを設けるという手段を用いた。この手段によれば、取付け部の弾性嵌め込み面積を拡大することにより該取付け部を棒体に対して強固に取付ける作用を有する。また、クリップが鋼材から形成されるときは、該カバーをゴムまたは樹脂製とすることで滑り止めの作用も行う。
【０００９】
請求項３では、水平部の少なくとも一箇所を凹設するという手段を用いた。この手段によれば、凹設した箇所が指の引っ掛かりとして機能し、クリップの取付け部を棒体から簡単に取り外すことができる。
【００１０】
請求項４では、本クリップを１本の鋼材より成型するという手段を用いた。この手段によれば、鋼材の曲げ加工のみでクリップを成型することができる。
【００１１】
【発明の実施の形態】
以下、添付した図面に従って本発明の実施の形態を説明する。図１は本発明クリップの最良の実施形態を示したものである。即ち、該クリップ１は、１本の鋼材から成型されたもので、左右に棒体に弾性的に嵌め込まれる半環状の取付け部１ａ・１ａを一対に備え、両取付け部１ａ・１ａをその一端から連続する水平部１ｂにより接続すると共に、両取付け部１ａ・１ａの先端には一対の爪部１ｃ・１ｃを対向するようにやや鋭角に内側に折り曲げてなるものである。
【００１２】
なお、１ｄ・１ｄは、各取付け部１ａに設けた樹脂製カバーであって、主として取付け部１ａの弾性嵌め込み面積を拡大することにより該取付け部１ａを棒体に対して強固に取付ける作用を有する。
【００１３】
また、１ｅは水平部１ｂの一箇所を下方から凹設した掛止部であって、該掛止部１ｅは指の引っ掛かりとして機能する。つまり、該掛止部１ｅに指を掛け、水平部１ｂを上方に引き上げることでクリップ１を棒体から容易に取り外すことができるものである。
【００１４】
次に本クリップ１の使用例を説明する。なお、ここでは仮囲いにおける遮蔽パネルを連結の資材として隣り合う同士を隙間なく連結すると共に、該遮蔽パネルを支柱間に仮設された水平つなぎに固定する場合を説明する。ただし、連結対象となる資材や固定対象となる棒体はこれに限定されない。
【００１５】
本クリップ１を使用するには、図２に示したように、先ず指で爪部１ｃ・１ｃの間隔を拡げ、該爪部１ｃ・１ｃを遮蔽パネル２の左右側縁に形成されたリブ２ａ・２ａと係合させる。このとき拡げた爪部１ｃ・１ｃは弾性力によって元の間隔に復帰するので、この復元力によって隣り合う遮蔽パネル２のリブ同士２ａ・２ａを密着させる。即ち、クリップ１によって遮蔽パネル２を隙間なく連設することができるのである。
【００１６】
そして、クリップ１の取付け部１ａ・１ａを水平つなぎ３に嵌め込むことで、遮蔽パネル２を水平つなぎ３に強固に連結することができ、遮蔽パネル２の不用意な前方への倒壊を防止することができる。なお、クリップ１の取付け順序は、これと逆であってもよい。
【００１７】
そして、本クリップ１を取り外すには、上述したように指を水平部１ｂの掛止部１ｅに掛け、この状態で水平部１ｂを上方に引き上げる。これにより取付け部１ａ・１ａを水平つなぎ３から取り外すことができる。また、爪部１ｃ・１ｃの間隔を指で拡開することによって、クリップ１を遮蔽パネル２から取り外すことができるのである。
【００１８】
【発明の効果】
以上説明したように、本発明によれば、一切連結金具およびそのための工具を必要とせず、ほぼワンタッチで連結資材を隙間なく棒体に固定することができる。従って、本クリップを仮囲いに用いた場合には、非常に短期間で仮囲いを構築できると共に、従来必要であった連結金具やその締結作業は大幅に削減され、人員も多くを必要とせず、コストの低減にも大きく寄与することができた。
【図面の簡単な説明】
【図１】クリップの斜視図
【図２】クリップの取付態様を示した平面図
【図３】従来の専用金具を示した正面図
【符号の説明】
１  クリップ
１ａ  取付け部
１ｂ  水平部
１ｃ  爪部
１ｄ  取付け部のカバー
１ｅ  掛止部
２  遮蔽パネル
３  水平つなぎ
【図１】
0004718713.tif 000002
【図２】
0004718713.tif 000003
【図３】
0004718713.tif 000004